(57)【要約】【課題】脱穀装置の後部に設けられた排塵口から排出される塵埃を飛散させることなく圃場に排出するために、塵埃を圃場面に案内落下させるカバー体を機体後部に取付けると、コンバインの全長が長くなる。【解決手段】脱穀装置の後部に設けられた排塵口から排出される塵埃を圃場に案内落下させるカバー体１１を開閉自在に設け、該カバー体１１を閉じると、カバー体１１の後端面１１ｃが機体の最後端の位置よりも後方に突出しないように機体の後部に配置する。【選択図】図６
2013081401.tif 000002
【特許請求の範囲】
【請求項１】
穀稈を刈取る前処理部と、該前処理部で刈取った穀稈を脱穀して選別する脱穀装置と、該脱穀装置で脱穀処理された塵埃を機外に排出する排塵口と、を備えたコンバインにおいて、
前記排塵口から排出される塵埃を圃場に案内落下するカバー体を機体に開閉自在に設け、
該カバー体を閉じると、前記カバー体の後端面が機体の最後端の位置よりも後方に突出しないように配置してなる、
ことを特徴とするコンバイン。
【請求項２】
前記カバー体と前記機体との間に、塵埃を既刈り地側に案内するガイド板を架設し、該ガイド板の少なくとも一部が可撓体からなる、
請求項１に記載のコンバイン。
【請求項３】
前記カバー体は、閉じた状態で、前記カバー体の後端面と前記機体の後端の他のカバー体とが略フラットな面となる、
請求項１又は２に記載のコンバイン。
【発明の詳細な説明】
【技術分野】
【０００１】
本発明は、脱穀装置を備えたコンバインに係り、詳しくは、脱穀装置の排塵口を覆うカバー体の構造に関する。
【背景技術】
【０００２】
一般に、コンバインは、刈取った穀稈を脱穀及び選別するための脱穀装置を備えており、刈取られた穀稈は脱穀装置で脱穀されて選別される。脱穀処理された穀粒はグレンタンクに貯蔵され、排稈やワラ屑等は機外へと排出される。脱穀装置で選別されてワラ屑等の塵埃は、排出口から機外に排出されるが、特に汎用型コンバインにあっては、刈取られた穀稈が全量脱穀装置に投入されるため、大量の塵埃が排出口から排出される。
【０００３】
従来から排塵口には、排塵口から排出される排稈やワラ屑等を圃場に案内落下させる排塵カバーが取付けらており（例えば、特許文献１参照）、この排塵カバーが排塵口に取付けられることによって、ワラ屑等を方々に飛散させることなく圃場に案内落下（排出）させることができる。
【先行技術文献】
【特許文献】
【０００４】
【特許文献１】特開２０１０−２００６７１号公報
【発明の概要】
【発明が解決しようとする課題】
【０００５】
しかしながら、従来のコンバインにあっては、排塵カバーがコンバインの最後方に位置して機体に固定され、脱穀装置の後部から突出するように取付けられており、かつ排塵カバー自体もある程度の大きさであるため、排塵カバーを脱穀装置の後部に取付けるとコンバイン自体の全長が長くなってしまっていた。これにより、例えば、コンバインを納屋や車庫に入れる際にコンバインの全長に合った広い場所が必要となっていた。
【０００６】
そこで本発明は、排塵口を覆うカバー体を開閉自在に設け、カバー体を閉じるとカバー体の後端面が機体最後端より突出しないようにすることで、もって上記の課題を解決したコンバインを提供することを目的とする。
【課題を解決するための手段】
【０００７】
本発明は、穀稈を刈取る前処理部（５）と、該前処理部（５）で刈取った穀稈を脱穀して選別する脱穀装置（７）と、該脱穀装置（７）で脱穀処理された塵埃を機外に排出する排塵口（４５）と、を備えたコンバイン（１）において、
前記排塵口（４５）から排出される塵埃を圃場に案内落下するカバー体（１１）を機体に開閉自在に設け、
該カバー体（１１）を閉じると、前記カバー体（１１）の後端面（１１ｃ）が機体の最後端の位置よりも後方に突出しないように配置することを特徴とする。
【０００８】
例えば、図７に示すように、前記カバー体（１１）と前記機体との間に、塵埃を既刈り地側に案内するガイド板（５１）を架設し、該ガイド板（５１）の少なくとも一部が可撓体（５１ａ）からなる。
【０００９】
また、前記カバー体（１１）は、閉じた状態で、前記カバー体（１１）の後端面（１１ｃ）と前記機体の後端の他のカバー体とが略フラットな面となる。
【００１０】
なお、上記カッコ内の符号は、図面と対照するためのものであるが、これにより特許請求の範囲の記載に何等影響を及ぼすものではない。
【発明の効果】
【００１１】
請求項１に係る発明によると、カバー体を機体に開閉自在に設け、カバー体を閉じるとカバー体の後端面が排塵機体最後端より後方に突出しないようにカバー体を配置したので、作業時は排塵カバーを開いて排稈等を飛散させることなく圃場に排出することができ、また、排塵カバーを閉じることでコンバインの全長を短くすることができ、コンバインを車庫や納屋に保管する際の収納スペースが小さくて足りる。
【００１２】
請求項２に係る発明によると、塵埃を既刈取り地側に案内するガイド板をカバー体と機体との間に架設し、カバー体の少なくとも一部を可撓体で構成したので、塵埃を未刈取り地側に排出することができ、またガイド板を取外すことなく容易に排塵カバーを閉じることができる。
【００１３】
請求項３に係る発明によると、排塵カバーを閉じた状態にすると、排塵カバーの後端面と機体の後端の他のカバー体とが略フラットな面となるので、コンバインの後部面の外観が良くなる。
【図面の簡単な説明】
【００１４】
【図１】本実施の形態に係るコンバインの排塵カバーが閉じた状態を示す側面図。
【図２】その平面図。
【図３】その後方を示す斜視図。
【図４】コンバインの排塵カバーが開いた状態を示す側面図。
【図５】その平面図。
【図６】その後方を示す斜視図。
【図７】コンバインが備える脱穀装置の内部構造を示す模式図。
【図８】ガイド板及び補助ガイド板を示す模式図。
【発明を実施するための形態】
【００１５】
以下、本発明の実施の形態に係るコンバインについて図面に沿って説明する。コンバイン１は、図１、図２及び図３に示すように、汎用型コンバイン１（以下、単にコンバインという）であり、左右一対の走行装置であるクローラ２に支持された機体３を有している。該機体３の前方には、穀稈を刈取る前処理部５が昇降自在に設けられており、該前処理部５の後方には、コンバイン１を操作するための運転操作部６が設けられている。運転操作部６の後方には、前処理部５で刈取った穀稈を脱穀して選別する脱穀装置７が設けられており、該脱穀装置７の隣には、図２に示すように、脱穀した穀粒を貯蔵するグレンタンク９が設けられている。該グレンタンク９の上方には、グレンタンク９内の穀粒を排出する排出オーガ１０が設けられている。また、脱穀装置７の後部には、脱穀処理された排稈を機外へと排出する排塵口４２（図７参照）が設けられており、該排塵口４２は、排稈を圃場に案内するカバー体である排塵カバー１１に覆われている。
【００１６】
前処理部５は、刈取作物と未刈取作物とに分けるデバイダ１２を前方に有しており、該デバイダ１２の上方には、複数のタインが取付けられた掻き込みリール１３が設けられている。該掻き込みリール１３の後方には、穀稈を搬送するプラットホームオーガ１５が進行方向と直交する横向きの状態で配設されており、該プラットホームオーガ１５の後方には、プラットホームオーガ１５によって搬送された穀稈を脱穀装置７まで搬送する搬送フィーダ１６が設けられている。
【００１７】
運転操作部６には、運転者が着座するための運転席１７が設けられており、該運転席１７の前方には操作パネル１９が設けられている。該操作パネル１９の右側には、コンバイン１を操舵するための操作レバー２０が設けられており、該操作レバー２０の隣には、様々な計器類を表示するための表示パネル２１が設けられている。また、運転席１７の左側には、サイドパネル２２が設けられており、該サイドパネル２２には、コンバイン１の変速を行う主変速レバー２３が設けられている。
【００１８】
脱穀装置７は、図４に示すように、扱室２５を有しており、該扱室２５の上方は、図５に示すように、天板４５で覆われている。また、扱室２５の後部はリヤカバー４６で覆われており、扱室２５の左側側方は、略矩形形状したサイドカバー４７で覆われている。
【００１９】
また、扱室２５には、刈取られた穀稈を脱穀する扱胴２６が回転自在で内装されており、該扱胴２６には、ラセン形状した扱歯２７が巻回されている。該扱歯２７には、搬送された穀稈の籾等を扱ぎ落す歯部２７ａが等間隔で設けられており、該扱胴２６の下方には、脱穀された穀類を網目から選別部へ漏下させる受網が設けられている（図７参照）。
【００２０】
受網２８に下方には、唐箕ファン３０や揺動移動板３１、チャフシーブ３２、ラック３３、ストローラック３５、及びグレンシーブ３６等で構成される揺動選別体３７等を内装する選別室３９が設けられており、該選別室３９には、一番ラセン４０及び二番ラセン４１がターボファン４４の前後に、進行方向に直交する横向きにそれぞれ配設されている。また、脱穀装置７の後方には、脱穀装置７で脱穀処理された排稈やワラ屑等の塵埃を機外へと排出する排塵口４２が設けられている（図７参照）。該排塵口は、門構え形状に形成された排塵ケース４９に囲われており（図６及び図８参照）、該排塵ケース４９には、排出される塵埃を圃場面に案内落下させる排塵カバー１１が取付けられている。また、排塵ケース４９の側方には、排塵カバー１１を固定するノブボルト４８が左右それぞれ設けられている（図４及び図６参照）。排塵ケース４９は、４つのノブボルト４８で脱穀装置７の後部に取付けられており、そして、排塵ケース４９は、排塵ケース４９を脱穀装置７に取付ける４つのノブボルト４８を取り外し、後述するガイド板５１のブラケット５１ｂを背面板１１ａに取付ける２つのノブボルト４８を取外すことで（図８参照）、排塵ケース４９及び、それに枢着される排塵カバー１１を脱穀装置７の後部から取り外すことができるように設けられている。
【００２１】
排塵カバー１１は、排塵口４２ａに対向する背面板１１ａと該背面板１１ａの左右側方に設けられる側板１１ｂとから構成されている。該背面板１１ａの上方端部には、図７に示すように、ヒンジ部５０が設けられている。また、該ヒンジ部５０は、排塵ケース４９に取付けられている（図８参照）。排塵カバー１１は、該ヒンジ部５０によって回動自在（開閉自在）に支持されており、また排塵口４２は、排塵カバー１１によって開閉自在に設けられている。また、排塵カバー１１の左右側板１１ｂには、図６に示すように、ノブボルト４８を取付けるボルト取付部であるボルト孔５５が複数設けられており、排塵カバー１１は、該ボルト孔にノブボルトを取付けることによって開放状態と閉鎖状態とに固定可能に設けられている。
【００２２】
排塵カバー１１の内側には、図７に示すように、排塵口４２から排出される塵埃を既に刈取り作業を終えた既刈り地側に案内するガイド板５１が設けられている。該ガイド板５１は、背面板１１ａの内側と機体側との間に架設されており、その一部が可撓体であるゴム板５１ａで構成されている。該ゴム板５１ａの両端部は、排塵カバー１１の内側面に取付けられたブラケット５１ｂ及び機体の排塵口の下方側に取付けられたブラケット５１ｃそれぞれに取付けられており、ガイド板５１の排出口側端部５１ｄは、ガイド板５１の排塵口側端部５１ｅに対してグレンタンク９側に偏倚して取付けられており、ガイド板５１は傾斜して取付けられている。
【００２３】
ガイド板５１の隣には、図８に示すように、排塵カバー１１から排出される塵埃の拡散を調整する補助ガイド板５２が設けられている。該補助ガイド板５２は、排塵口４２から機体下方に向かって延設されており、補助ガイド板５２の高さは、ガイド板５１の高さよりも低く設定されている。また、該補助ガイド板５２は、機体側（流し板）に複数設けられた取付部である取付孔５３に取付部材である取付けボルトが取付けられて機体側に固定さられており、補助ガイド板５２は、取付孔の５３を変えることで、左右方向に移動可能に設けられている。また、ブラケット５１ｃや補助ガイド板５２等が取付けられる流し板は、脱穀装置７から着脱自在に設けられている。
【００２４】
次に、上記のように構成されたコンバイン１の動作について説明する。作業者は、コンバイン１を運転して圃場まで移動し、圃場内の作業開始位置から刈取り作業を開始する。
【００２５】
刈取り作業開始前に、作業者は、排塵カバー１１を開くため、ノブボルト４８を取り外して排塵カバー１１の固定を解除して、排塵カバー１１の背面板１１ａの下端部側を手前側に引っ張る。すると排塵カバー１１は、ヒンジ部５０を支点として後方方向に回動し、背面板１１ａの後端面１１ｃは（図６参照）、機体最後端の位置よりも後方に突出して開放状態になる。排塵カバー１１が開くと、連動して撓んだ収納状態にあったガイド板５１のゴム板５１ａが開いて作業状態となる。そして、作業者は、排塵カバー１１の側板１１ｂに設けられたボルト孔５５にノブボルト４８を取付けて排塵カバー１１を開放状態で固定する。
【００２６】
刈取作業は、掻き込みリール１３を回転させながら行われ、掻き込みリール１３は、回転しながら穀稈を引き起こす。引き起された穀稈は刈刃で刈取られ、刈取られた穀稈は、プラットホームオーガ１５から搬送フィーダ１６に搬送された後、該搬送フィーダ１６よって扱室２５に搬送さる。扱室２５に搬送された穀稈は、回転する扱胴２６の扱歯２７によって籾等が扱ぎ落され、扱ぎ落された籾等は受網２８を通って揺動選別体３７へと落下する。
【００２７】
揺動選別体３７に落下した籾などの穀粒は、揺動選別体３７による揺動選別及び唐箕ファン３０等による風選別による選別によって、一番物と二番物とにそれぞれ選別される。ここで一番物とは、選別処理された穀粒であり、二番物とは、選別不十分でワラ屑や穂切れ粒などの夾雑物と穀粒とが混合した混合物である。一番物は、一番ラセン４０から一番揚穀装置（不図示）に搬送された後、該一番揚穀装置によってグレンタンク９まで搬送され、二番物は、二番ラセン４１から二番還元装置（不図示）に搬送された後、該二番還元装置によって二番還元ラセン（不図示）に搬送される。二番還元ラセンに搬送された二番物は、再選別を行うため、二番還元ラセンによって再び扱室２５に還元される。
【００２８】
脱穀装置７で穀粒が扱ぎ落されて脱穀処理された塵埃は、排塵口４２から機外へと排出される。排塵口４２から排出された塵埃は、排塵カバー１１によって圃場面に案内落下するが、この際排塵カバー１１内の塵埃は、排塵カバー１１内のガイド板５１によって刈取り作業を終えていない未刈取り地側から既刈取り地側へと案内誘導される。また、塵埃は、補助ガイド板５２によって、排塵カバー１１から排出される際の拡散量が調整される。この時作業者は、排塵口４２から排出される排稈等の排出量等から、補助ガイド板５２の取付け位置を左右に変更、調節して排稈等の拡散を調整しながら作業を行う。
【００２９】
刈取り作業の終了後、作業者は、排塵カバー１１を閉じるため、排塵カバー１１を開放状態に固定していたノブボルト４８を取り外し、排塵カバー１１の背面板１１ａの下端部側を前方方向へと押し込む。すると排塵カバー１１は、ヒンジ部５０を支点として前方方向に回動して閉鎖状態となり、背面板１１ａの後端面１１ｃは、コンバインの後部面に設けられたリヤカバー４６や、グレンタンク９等を覆う他のカバー体の後端面１１ｃと略フラットな面となる。また、ガイド板５１のゴム板５１ａは、排塵カバー１１の回動に連動して撓み収納状態になる。作業者は、排塵カバー１１の側板１１ｂに設けられたボルト取付部にノブボルト４８を取付けて排塵カバー１１を閉鎖状態に固定する。
【００３０】
上述のように、脱穀装置７の後部に設けられた排塵口４２を覆う排塵カバー１１の上端側にヒンジ部５０を設けて、排塵カバー１１を開閉自在に構成し、排塵カバー１１を閉じることで、排塵カバー１１の後端面をコンバイン１の最後端よりも後方に突出させないように排塵カバーをコンバイン１の後部に配置したので、排塵カバー１１を開放することで、排塵口４２から排出される塵埃を飛散させることなく圃場に排出させることができると共に、排塵カバー１１を閉じることでコンバイン１の全長を短くすることができる。これにより、例えば、収納スペースの小さい納屋等にコンバインを収納することができてコンバイン１の収納性の向上を図ることができる。
【００３１】
また、排塵カバー１１の内側に、塵埃を既刈取り地側に排出するためのガイド板５１を背面板１１ａの内側面と機体の排塵口の下方側との間に架設し、かつガイド板５１の少なくとも一部をゴム板５１ａで構成したので、塵埃を未刈取り地側に飛散させることなく既刈取り地側に排出することができ、また、ガイド板５１を取外すことなく容易に排塵カバー１１を閉じることができる。
【００３２】
また、排塵カバー１１を閉じた状態にすると、排塵カバー１１の後端面１１ｃとコンバインの後端に設けられた扱室２５の後方を覆うリヤカバー４６やグレンタンク９等を覆う他のカバーの後端面とが略フラットな面になり、コンバイン１の後方面全体が略フラットな面となるので、コンバイン１の後部面の外観が良くなる。
【００３３】
また、補助ガイド板５２の取付位置を左右方向に変更可能にして排出される塵埃の排出量を調整可能に設けたので、塵埃を圃場に均一に排出することができる。
【００３４】
また、排塵ケース４９、排塵カバー１１及び、流し板等を着脱自在に設けたので、排塵ケース４９、排塵カバー１１及び、流し板等を取り外すことにより、脱穀装置７の後部を開放することができ、開放口から揺動選別体３７を容易に引き出すことができる。これにより、メンテナンスを容易に行うことができる。
【符号の説明】
【００３５】
１      コンバイン
５      前処理部
７      脱穀装置
１１    カバー体（排塵カバー）
１１ｃ  後端面
５１    ガイド板
５１ａ  可撓体（ゴム板）
【図１】
2013081401.tif 000003
【図２】
2013081401.tif 000004
【図３】
2013081401.tif 000005
【図４】
2013081401.tif 000006
【図５】
2013081401.tif 000007
【図６】
2013081401.tif 000008
【図７】
2013081401.tif 000009
【図８】
2013081401.tif 000010